(57)【要約】【課題】設置面に埋入しやすく施工性の高い杭を提供する。【解決手段】鋼管杭２０は、羽根板４０が互いに本体部３０を水平に切断する仮想切断面の直径を軸として、羽根板４０の直径が軸と直交する方向にそれぞれ逆向きに所定の角度回動した状態で固定されている。鋼管杭２０を回転させて埋入する際には、両側に設けられた一対の羽根板４０の進行方向側が同時に設置面を掘削することになるため、鋼管杭２０が傾くことが無い。このとき、先端側に設けられた一対の柱部材３２を予め設置面に埋入し、鋼管杭２０を所望の位置、所望の角度で設置する。【選択図】図１
2019085872.tif 000002
【特許請求の範囲】
【請求項１】
一端側から地面に貫入される杭であって、
前記一端側が開放された筒状の本体部と、
前記本体部の側面に設けられた溝部に一部が挿入された状態で固定される一対の羽根板と、
前記羽根板と前記本体部の内側側面とにそれぞれ固定され、前記一端側方向に突出する一対の柱部材と、
を備え、
一対の前記羽根板は、前記本体部を水平に切断する仮想切断面の直径を軸として、前記羽根板の直径が前記軸と直交する方向に、それぞれ逆向きに所定の角度回動した状態でそれぞれ固定されることを特徴とする、
杭。
【請求項２】
一対の前記柱部材の最も一端側の位置、前記本体部の一端側の位置及び一対の前記羽根板の最も一端側の位置は、一対の前記柱部材の最も一端側の位置、前記本体部の一端側の位置、一対の前記羽根板の最も一端側の位置の順番で位置することを特徴とする、
請求項１に記載の杭。
【請求項３】
一対の前記柱部材は、前記本体部の側面の内側面に固定されることを特徴とする、
請求項１又は２に記載の杭。
【請求項４】
一対の前記柱部材は、前記一対の羽根板のうち、一方の羽根板の表面と他方の羽根板の側面との両方に当接する位置に設けられることを特徴とする、
請求項１から３のいずれか１項に記載の杭。
【請求項５】
前記柱部材は、前記本体部の側面の厚さより厚い接続凹部を有し、
前記接続凹部に前記本体部の内側面を当接させることで、前記柱部材が前記羽根板と前記本体部とに固定されることを特徴とする、
請求項１から４のいずれか１項に記載の杭。
【請求項６】
前記柱部材が前記本体部に固定された際、前記柱部材の外側側面が前記本体部の外側側面よりも外側に位置することを特徴とする、
請求項５に記載の杭。
【請求項７】
一対の前記羽根板の直線状の側面は、傾斜面を有することを特徴とする、
請求項１から６のいずれか１項に記載の杭。
【請求項８】
前記柱部材の一端側の面は、傾斜面を有することを特徴とする、
請求項１から７のいずれか１項に記載の杭。
【発明の詳細な説明】
【技術分野】
【０００１】
本発明は、杭に関する。
【背景技術】
【０００２】
従来、基礎として地面等にねじ込んで使用される杭として、様々な種類の杭が知られている。例えば、特許文献１には、円形型の中空の本体部と、本体部の底面に設けられる第１拡底板であって、本体部の軸に垂直な水平面に対して第１の傾斜角を有する扇形状の第１拡底板と、本体部の底面に設けられる第２拡底板であって、第１の傾斜角と異なる第２の傾斜角を有する扇形状の第２拡底板と、第１拡底板と第２拡底板との間に設けられる開口部と、を備える鋼管杭が記載されている。こうすることにより、十分な支持力を有する拡底部を有する鋼管杭であって、製造が容易で、かつ、地盤への貫入が効率的に行われる鋼管杭を提供することができる。
【先行技術文献】
【特許文献】
【０００３】
【特許文献１】特開２００９−１３８４８７号公報
【発明の概要】
【発明が解決しようとする課題】
【０００４】
しかしながら、このような鋼管杭では、第１拡底板と第２拡底板との間に掘削爪が位置することで、第１拡底板と第２拡底板との地盤に対する全体形状が楕円形形状になり、回転させて地盤に埋入する際、円形である場合と比較して、回転させた際の軸がぶれやすく、地盤に埋入させる際の安定性が低く、施工性が悪くなるという課題がある。
【０００５】
本発明は、このような課題に鑑みなされたものであり、貫入する際に、安定性を高めることで、施工性が高く、信頼性の高い杭を提供することを主目的とする。
【課題を解決するための手段】
【０００６】
本発明は、上述の主目的を達成するために以下の手段を採った。
【０００７】
本発明の杭は、
一端側から地面に貫入される杭であって、
前記一端側が開放された筒状の本体部と、
前記本体部の側面に設けられた溝部に一部が挿入された状態で固定される一対の羽根板と、
前記羽根板と前記本体部の内側側面とにそれぞれ固定され、前記一端側方向に突出する一対の柱部材と、
を備え、
一対の前記羽根板は、前記本体部を水平に切断する仮想切断面の直径を軸として、前記羽根板の直径が前記軸と直交する方向に、それぞれ逆向きに所定の角度回動した状態でそれぞれ固定されることを特徴とする、
ものである。
【０００８】
この杭において、羽根板は、互いに本体部を水平に切断する仮想切断面の直径を軸として、羽根板の直径が軸と直交する方向に、それぞれ逆向きに所定の角度回動した状態で固定されている。こうすることにより、一対の羽根板は本体部を挟んで、互いに反対方向に同一の角度だけ傾いた状態で固定されることになる。言い換えると、羽根板は、お互いの上面側が互いに交差する位置関係に配置されていると言える。このため、杭を鉛直に回転させて埋入する際には、両側に設けられた一対の第一羽根板の下部が同時に設置面を掘削することになるため、容易に鉛直に杭を埋入することができる。また、先端側には一対の柱部材が備えられているため、杭を埋入する際に、設置面に対して杭の角度が変化したり、設置面の表面を杭が移動して設置位置が移動したりする可能性を未然に低減することができる。このとき、柱部材の先端側が羽根板の先端側よりも本体部の先端側方向に位置するため、杭を回転させて貫入する際、まずは一対の柱部材が回転して、杭の一端側の中心部付近の土壌を掘削し、続いて、杭の本体部、羽根板と順番に地中に埋入される。このとき、一対の柱部材が回転することによって杭の中心部付近の土壌が掘削されているため、本体部が貫入される際、本体部に対して土壌からかかる力を低減することができる。加えて、一対の羽根板が回転して土壌に貫入される際、柱部材によって既に柔らかくなっている中央部から羽根板が土壌に埋入することになるため、羽根板に土壌からかかる力も低減することができる。すなわち、杭を貫入する際に、本体部や羽根板に土壌からかかる力を低減する事ができるため、施工性が高く、また、貫入する際に設置面に対して杭が傾き、設置面に鉛直に杭が貫入できない可能性を低減することができる。
【０００９】
本発明の杭において、一対の前記柱部材の最も一端側の位置、前記本体部の一端側の位置及び一対の前記羽根板の最も一端側の位置は、一対の前記柱部材の最も一端側の位置、前記本体部の一端側の位置、一対の前記羽根板の最も一端側の位置の順番で位置することを特徴としてもよい。こうすることにより、杭を回転して埋入する際、一対の柱部材、本体部、一対の羽根板の順番で土壌に埋入することになるため、羽根板の最も一端側の位置が埋入する際には、一対の柱部材の回転による掘削によって柔らかくなっている状態で羽根板が埋入されることになり、羽根板が硬い土壌によって湾曲してしまい、羽根板による掘削力が減衰する可能性を未然に低減することができる。言い換えると、羽根板の湾曲を未然に防止することにより、設計時に意図した施工性を保つことができる。
【００１０】
本発明の杭において、一対の前記柱部材は、前記本体部の側面の内側面に固定されることを特徴としてもよい。こうすることにより、前記柱部材が前記本体部の側面の外側面に固定されている場合と比較して、地中に貫入する際に本体部と柱部材とが固定されている固定部に加えられる力を低減することができるため、本体部から柱部材が外れる可能性を未然に低減することができる。
【００１１】
本発明の杭において、一対の前記柱部材は、前記一対の羽根板のうち、一方の羽根板の表面と他方の羽根板の側面との両方に当接する位置に設けられることを特徴としてもよい。こうすることにより、柱部材を地中に貫入する際、柱部材が一方の羽根板の表面と他方の羽根板の側面との２面で支えられることになるため、いずれか一方にのみ支えられる場合と比較して、柱部材が離脱する可能性を未然に低減することができる。また、回転させて柱部材で土壌を掘り進める際には、柱部材に大きな力がかかっても、一方の羽根板の表面と他方の羽根板の側面との２面で支えられることになるため、柱部材が変形する可能性を低減しつつ、回転力を柱部材が掘り進める力に利用することができるため、高い施工性を有する。
【００１２】
前記柱部材は、前記本体部の側面の厚さより厚い接続凹部を有し、前記接続凹部に前記本体部の内側面を当接させることで、前記柱部材が前記羽根板と前記本体部とに固定されることを特徴としてもよい。こうすることにより、柱部材を固定する際、本体部の先端側の面と側面の内側面とが接続凹部と固定することができるため、接続凹部を有しない場合と比較して、柱部材をより強固に固定することができる。この態様を採用した本発明の杭において、前記柱部材が前記本体部に固定された際、前記柱部材の外側側面が前記本体部の外側側面よりも外側に位置することを特徴としてもよい。こうすることにより、本体部の外側に柱部材の一部が位置することになるため、回転させて地中に貫入する際、柱部材が回転することによって削掘された部分に本体部が埋入することになり、本体部に土から加えられる力を低減することができ、本体部が変形したり破損したりする可能性を未然に低減することができる。また、本体部を埋入する際、埋入する力を低減する事ができるため、高い施工性を有する。
【００１３】
本発明の杭において、一対の前記羽根板の直線状の側面は、傾斜面を有することを特徴としてもよい。こうすることにより、直線状の側面が羽根板の表面に対して垂直面である場合と比較して、地中に貫入する際の羽根板の掘削力を高めることができるため、地中に貫入する際に高い施工性を得ることができる。なお、直線状の側面の全体が傾斜面であっても良いし、一部が傾斜面であってもよい。一部を傾斜面とすることで、羽根板の強度と掘削力をいずれも高い状態に保つことができる。
【００１４】
本発明の杭において、前記柱部材の一端側の面は、傾斜面を有することを特徴としてもよい。こうすることにより、一端側の面が傾斜面を有しない場合と比較して、地中に埋設する際に高い施工性を得ることができる。
【図面の簡単な説明】
【００１５】
【図１】図１は、鋼管杭２０の構成の概略を示す正面図である。
【図２】図２は、鋼管杭２０の構成の概略を示す側面図である。
【図３】図３は、Ａ−Ａ断面図である。
【図４】図４は、Ｂ−Ｂ断面図である。
【図５】図５Ａは、羽根板４０の構成の概略を示す平面図であり、図５Ｂは，羽根板４０が鋼管杭２０に取り付けられている状態を示す底面図である。
【図６】図６は、鋼管杭２０の埋入方法を説明するための説明図であり、図６（Ａ）は、鋼管杭２０を埋入する前の状態を、図６（Ｂ）は、羽根板４０が設置面に当接した状態を、図６（Ｃ）は、鋼管杭２０を埋設した状態を、それぞれ示している。
【図７】図７Ａは、第二の実施の形態の羽根板４０の構成の概略を示す平面図であり、図７Ｂは、第二の実施の形態の羽根板４０が鋼管杭２０に取り付けられている状態を示す底面図である。
【図８】図８Ａは、第三の実施の形態の羽根板１４０の構成の概略を示す平面図であり、図８Ｂは、第三の実施の形態の羽根板１４０が鋼管杭２０に取り付けられている状態を示す底面図である。
【発明を実施するための形態】
【００１６】
次に、図１から図４を用いて、本発明の杭の実施の形態の一例である鋼管杭２０の構成について詳しく説明する。ここで、図１は、鋼管杭２０の構成の概略を示す正面図であり、図２は、鋼管杭２０の構成の概略を示す側面図であり、図３は、Ａ−Ａ断面図であり、図４は、Ｂ−Ｂ断面図である。本発明の実施の形態の一例である鋼管杭２０は、筒状の本体部３０と、本体部３０の側面にそれぞれ設けられた羽根板４０（羽根板４０ａ及び羽根板４０ｂ）と、を備えている。
【００１７】
本体部３０は、図１に示すように、鋼鉄製の筒状部材であり、一端側（図１中下方側であって、設置面に貫入する際の進行方向側）には、一端側に突出する一対の柱部材３２ａ及び柱部材３２ｂ（以下、「柱部材３２」とも言う。）が設けられている。この柱部材３２ａは、本体部３０の一端側であって本体部３０の内側面と羽根板４０ａの表面、羽根板４０ｂの側面にそれぞれ固定されており、柱部材３２ｂは、本体部３０の一端側であって本体部３０の内側面と羽根板４０ｂの表面、羽根板４０ａの側面にそれぞれ固定されている（図３参照）。このため、鋼管杭２０を設置面に回転して埋入すると、鋼管杭２０の回転に伴って柱部材３２も回転し、本体部３０の回転軸を中心として設置面を掘削する。こうすることにより、鋼管杭２０を容易に埋入することができる。
【００１８】
ここで、柱部材３２について、更に詳しく説明する。柱部材３２は、図１及び図２に示すように、略四角柱の一方端側が斜めに切り取られた形状であって、図４に示すように、一部が凹んだ接続凹部３３を有している。言い換えると、柱部材３２は、接続凹部３３を有する略五角形状の外観を有する部材である。この接続凹部３３は、本体部３０の側壁の厚さよりも大きな凸部を有するため、本体部３０の側面に接続凹部３３を密着させて固定すると、本体部３０の外側面よりも柱部材３２の一部が外側に突出した状態で固定されることになる。このため、本体部３０を回転しながら土壌に埋入する際、本体部３０の外側を柱部材３２が掘削することになるため、本体部３０が直接硬い土壌に当たること無く、土壌中に埋入することができる。言い換えると、高い施工性を有する。このように、接続凹部３３を設けることで、接続凹部３３を有しない場合と比較し、柱部材３２と本体部３０とが隣接し、溶接可能な領域が増えることになるため、柱部材３２と本体部３０とをより強固に固定することができる。言い換えると、鋼管杭２０を回転して埋入する際、柱部材３２が土壌掘削中に本体部３０から離脱する可能性を未然に低減することができ、鋼管杭２０の回転力を掘削に効率よく利用することができる。
【００１９】
羽根板４０は、図５に示すように、中心部が略半円形に取り除かれた略半円形を有する鋼鉄製の板状部材であり、全て同一の形状を有し、一部が切り欠けた状態の扇面形状の部材である（図５Ａ参照）。この羽根板４０は、鋼鉄製の板状部材であり、半円の半径に相当する位置には、本体部３０の外径よりも小さな径の半円が切り抜かれており、本体部３０に固定された際でも、鋼管杭２０の一端側が開放された状態となる。更に、羽根板４０の表面の一部が本体部３０の内側にも表れることになるため、柱部材３２を本体部３０の内側であって、羽根板４０の表面に取り付けることができる。この羽根板４０は、本体部３０の側面に設けられた溝部３４に一部が挿入された状態で、本体部３０に溶接されることによって本体部３０の一端側に取り付けられる（図３参照）。こうすることにより、埋入時に羽根板４０に土壌からの力がかかった場合であっても、本体部３０の溝部３４に一部を挿入することで、埋入時に羽根板４０が湾曲したり、本体部３０から脱落したりする可能性を未然に低減することができる。また、溝部３４に挿入することで、溝部３４を有しない場合と比較して、溶接時に羽根板４０の取り付け位置や取り付け角度が意図しない位置や角度になる可能性を未然に低減することができる。このとき、羽根板４０は、本体部３０を水平に切断する仮想断面に対して、この仮想断面上を軸として、羽根板４０ａは約１５°、羽根板４０ｂは−１５°それぞれ傾いて取り付けられている。また、図１中に示すように、羽根板４０の半円の半径に相当する直線状の側面の上方側には、約４５°傾けられた傾斜面４２が設けられている。
【００２０】
また、それぞれ略半円の扇形形状の羽根板４０ａ及び羽根板４０ｂは、本体部３０を挟んで互いに反対側に溝部３４に一部が挿入された状態で溶接されているため、図５Ｂに示すように、先端側から視認した際には、羽根板４０ａ及び羽根板４０ｂにより、概形としては円形に見える。このとき、羽根板４０ａ及び羽根板４０ｂは一方を切り欠いた略半円形状であり、それぞれ本体部３０の反対側に設けられているため、羽根板４０ａと羽根板４０ｂが重なる位置がない。こうすることにより、鋼管杭２０を地中等に設置した後に、鋼管杭２０に対して上方向の力がかかった場合であっても、地中からの力が羽根板４０の上面側に均等にかかることになり、鋼管杭２０が回転する可能性を未然に低減することができる。言い換えると、切り欠けによって埋入時には切り欠け部が土壌を通過することで埋入が容易でありながら、埋入した後に、抜けにくい。
【００２１】
ここで、羽根板４０の最も一端側の位置と本体部３０の一端側の位置、柱部材３２の最も一端側の位置の位置関係について、詳しく説明する。図２に示すように、羽根板４０の最も一端側の位置と本体部３０の一端側の位置、柱部材３２の最も一端側の位置は、柱部材３２の最も一端側の位置、本体部３０の一端側の位置、羽根板４０の最も一端側の位置の順番に並ぶ位置関係となるように固定されている。このため、鋼管杭２０を回転して埋入する際には、まず柱部材３２の一端側が回転して土壌を掘削し、続いて、本体部３０が土壌の中に埋入され、羽根板４０が回転して土壌を掘削することになる。このように、最初に柱部材３２が最も小さな回転半径で回転して地面を掘削することにより、硬い土壌であっても、柱部材３２によって中心部が掘削され、羽根板４０が湾曲したり破損したりする可能性を低減する事ができる。このとき、柱部材３２の外側は本体部３０の外面よりも外側に位置するため、回転する柱部材３２によって本体部３０付近の土壌が掘削されることになり、本体部３０をスムーズに埋設することができる。加えて、柱部材３２と比較すると広い範囲を掘削することになる羽根板４０が埋入の際に最も遅れて土壌に埋入されることで、羽根板４０が湾曲したり破損したりする可能性を大きく低減することができる。
【００２２】
続いて、鋼管杭２０を地面に埋入する埋入方法について、図６を用いて説明する。図６は、鋼管杭２０を地面に埋入する方法を模式的に示した模式図である。鋼管杭２０を地面に埋入する際には、鋼管杭２０の他端側（図６中、上方側）に図示しないフランジを取り付け、このフランジを重機に固定して回転させることにより、鋼管杭２０を回転させて地面に埋入する（図６（Ａ）参照）。
【００２３】
鋼管杭２０の回転に伴い、鋼管杭２０の一端側（進行方向側の先端）に位置する柱部材３２が回転し、地面を掘削する。柱部材３２が回転することにより柔らかくなった土は、鋼管杭２０が埋入するに従って、筒上の鋼管杭２０の内部に導入されることになる。
【００２４】
続いて、本体部３０の一端側に設けられた羽根板４０も、鋼管杭２０の回転に伴って、本体部３０の周囲の地面を掘削する（図６（Ｂ）参照）。このとき、羽根板４０は、それぞれ本体部３０の鉛直断面に対して、一端側方向及び他端側方向にそれぞれ同じ角度（例えば、１５°）の角度で同一の位置に付けられているため、羽根板４０ａの最下端部と羽根板４０ｂの最下端部の位置は本体部３０の鉛直断面と平行な平面上に位置する（図６（Ａ）中の破線Ｃの位置）。この状態で鋼管杭２０を回転させることにより、側面方向を均等に掘削することができるため、鋼管杭２０が地面に対して傾くことなく、鉛直に埋入することができる。
【００２５】
以上詳述した本実施の形態の鋼管杭２０によれば、羽根板４０が互いに本体部３０を水平に切断する仮想切断面の直径を軸として、羽根板４０の直径が軸と直交する方向にそれぞれ逆向きに所定の角度回動した状態で固定されているため、一対の羽根板４０は、本体部３０を挟んで互いに反対方向に同一の角度だけ傾いた状態で固定されることになる。こうすることにより、鋼管杭２０を回転させて埋入する際には、両側の設けられた一対の羽根板の進行方向側が同時に設置面を掘削することになるため、鋼管杭２０が傾くこと無く、容易に鉛直に埋入することができ、高い施工性を有する。このとき、先端側に一対の柱部材３２が設けられているため、この柱部材３２を設置する際に予め設置面に埋入することで、所望の位置、所望の角度で設置しやすく、施工性を高めることができる。加えて、鋼管杭２０を回転させて埋入する際には、最も進行方向側に位置する柱部材３２がはじめに土壌を掘削することになるため、この柱部材３２の回転によって土壌が掘削され、本体部３０が埋入する際の労力を低減することができる。加えて、一対の羽根板４０が回転して土壌に貫入される際、柱部材３２によって既に柔らかくなっている中央部から羽根板４０が土壌に埋入することになるため、羽根板４０に土壌からかかる力も低減することができる。更に加えて、羽根板４０は一部が切り欠いた形状であるため、鋼管杭２０が地中に埋入される際、この切り欠き部を土壌が通過することができるため、埋入する際に不要な土壌を逃がすことができる。すなわち、鋼管杭２０を貫入する際に、本体部３０や羽根板４０に土壌からかかる力を低減する事ができるため、施工性が高く、また、埋設する際に傾いて埋入する可能性を未然に低減することができる。
【００２６】
また、一対の柱部材３２は、本体部３０の側面の内側面に固定されているため、本体部３０の側面の外側面に固定されている場合と比較して、地中に貫入する際、土壌からの力によって柱部材３２が本体部３０から離脱する可能性を未然に低減することができる。
【００２７】
更に、柱部材３２は、本体部３０の側面の内側に加え、一方の羽根板４０の表面と他方の羽根板４０の側面の両方に当接する位置に設けられているため、地中に貫入する際に柱部材３２に土壌からかかる力に対して、一方の羽根板４０の表面、他方の羽根板４０の側面のいずれかによって支えられることになり、柱部材３２に土壌からかかる力を鋼管杭２０の全体で支えることになり、柱部材３２が変形したり離脱したりする可能性を未然に低減することができる。また、鋼管杭２０を回転させた際には、他方の羽根板４０の側面から柱部材３２に真っ直ぐ力が加えられるため、回転力を柱部材３２が掘り進める力として有効に利用することができる。
【００２８】
更にまた、柱部材３２には、本体部３０の側面の厚さよりも厚い接続凹部３３が設けられており、この接続凹部３３は、本体部３０の内側側面に当接して固定されているため、柱部材３２は、羽根板４０の表面と本体部３０の内側側面とによってそれぞれ固定されることになる。こうすることで柱部材３２が強固に固定され、柱部材３２が脱落する可能性を未然に低減することができる。
【００２９】
このとき、柱部材３２の一部は、本体部３０の外側面より外側に位置しているため、回転させて地中に貫入する際、柱部材３２が回転することによって削掘された部分に本体部３０が埋入することになるため、本体部３０に土から加えられる力を低減することができ、本体部３０が変形したり破損したりする可能性を未然に低減することができる。加えて、柱部材３２は他方の羽根板４０の側面から本体部３０が回転する際の回転力を直接加えられるため、本体部３０の周りの力を本体部３０の回転力を利用して掘削することができる。このため、本体部を埋入する際の回転力を効率よく利用することができるため、高い施工性を有する。
【００３０】
そして、一対の羽根板４０の直線状の側面の上方側の一部に傾斜面４２が形成されているため、埋入の際に羽根板４０が回転する際、傾斜面によって羽根板４０が回転して掘削する際の抵抗を低減する事ができ、少ない労力で鋼管杭２０を埋入することができる。
【００３１】
そしてまた、柱部材３２の一方端面に傾斜面が設けられているため、鋼管杭２０を埋入する際、柱部材３２の一方端面によって掘削され、少ない労力で鋼管杭２０を埋入することができる。
【００３２】
なお、本発明は上述した実施形態に何ら限定されることはなく、本発明の技術的範囲に属する限り種々の態様で実施し得ることはいうまでもない。
【００３３】
例えば、上述した実施の形態では、一部が切り欠けた略半円形状の羽根板４０を用いるものとしたが、図７に示すように、切り欠きは無くともよい。こうすることにより、地中に埋入された後に上方向に力が加えられた場合であっても、垂直方向から見た際、全体に羽根板４０が位置することになるため、抜けにくい。
【００３４】
上述した実施の形態では、柱部材３２は、本体部３０の外面よりも少なくとも一部が外側方向に突出しているものとしたが、本体部３０の外面と略同一の面上に位置しても良いし、本体部３０の外面より内側にあってもよい。いずれの場合であっても、上述した実施の形態と同様の効果が得られる。
【００３５】
上述した実施の形態では、略半円形状の羽根板４０を用いるものとしたが、図８Ａに示すように、略半円形状と比較すると一部が欠けた状態の略扇型形状の羽根板１４０を用いても良い。このとき、羽根板１４０を本体部３０に固定する際、図８Ｂに示すように、略半円形状と比較すると一部が欠けた部分が一端側（埋入の際の進行方向側）に位置するように、羽根板１４０を固定しても良い。こうすることにより、鋼管杭２０を埋入する際に押しのけられた土が、一対の羽根板１４０の間を通過することが可能になるため、略半円形状の羽根板４０を使用する場合と比較して、羽根板１４０が湾曲する可能性を低減することや、埋入する際に必要な力を低減することができる。言い換えると、略半円形状の羽根板４０と比較して、高い施工性を得ることができる。
【００３６】
なお、ここで、羽根板４０と羽根板１４０との違いについて説明する。羽根板４０と羽根板１４０とは、略半円形状と比較した際に欠けた部分が異なる。羽根板１４０は、図８Ａに示すように、内側側面から外側側面まで直線状に欠けた部分が存在するが、羽根板４０では、図５Ａに示すように、内側側面から外側側面までの直線状の側面は、一部が折れ曲がった状態である。羽根板４０は、図５Ｂに示すように、本体部３０に取り付けられた際、本体部３０の外側面に当接する位置で折れ曲がっている。こうすることにより、柱部材３２を取り付ける際、上述した実施の形態と同様の位置に固定することができる。なお、柱部材３２を取り付ける際、図５Ｂに示すように、直線状の側面よりも突出する位置に取り付けても良い。こうすることにより、鋼管杭２０を回転して埋入する際、回転方向の前方側に柱部材３２が位置することになるため、羽根板４０に土壌からかかる力を低減することができる。こうすることにより、羽根板４０が湾曲したり、羽根板４０の直線状の側面が破損したりする可能性を未然に低減することができる。また、羽根板２４０の形状以外の部分については、上述した実施の形態のものと同様であるため、同一の符号を付し、ここでは説明を省略する。
【００３７】
上述した実施の形態では、一対の羽根板４０を本体部３０の側面に本体部３０の水平断面に対してそれぞれ１５°づつ反対方向に傾けるものとしたが、この角度は、１５°に限定されるものではなく、５°以上３０°未満の角度であっても良いし、１５°以上２０°未満の角度であってもよい。羽根板４０を傾ける角度を大きくすることにより、引き抜かれる際に羽根板４０が土より受ける力が大きくなるため引き抜き力に対する抵抗は大きくなるが、本体部３０と羽根板４０との溶接部の負荷も大きくなるため、羽根板４０の強度や土壌の状態、想定される引き抜き力を勘案して、羽根板４０を傾ける角度を適宜定めることができる。
【産業上の利用可能性】
【００３８】
上述した実施の形態で示すように、地中に埋設する杭として、特に、建築物を建築する際に地盤に埋入するための基礎杭として利用することができる。
【符号の説明】
【００３９】
２０…鋼管杭、３０…本体部、３２…柱部材、３２ａ…柱部材、３２ｂ…柱部材、３３…接続凹部、３４…溝部、４０…羽根板、４０ａ…羽根板、４０ｂ…羽根板、４２…傾斜面、１４０…羽根板。
【図１】
2019085872.tif 000003
【図２】
2019085872.tif 000004
【図３】
2019085872.tif 000005
【図４】
2019085872.tif 000006
【図５】
2019085872.tif 000007
【図６】
2019085872.tif 000008
【図７】
2019085872.tif 000009
【図８】
2019085872.tif 000010
【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
一端側から地面に貫入される杭であって、
前記一端側が開放された筒状の本体部と、
前記本体部の側面に設けられた溝部に一部が挿入された状態で固定される一対の羽根板と、
前記羽根板と前記本体部とにそれぞれ固定され、前記一端側方向に突出する一対の柱部材と、
を備え、
一対の前記羽根板は、前記本体部を水平に切断する仮想切断面の直径を軸として、前記羽根板の直径が前記軸と直交する方向に、それぞれ逆向きに所定の角度回動した状態でそれぞれ固定されることを特徴とする、
杭。
【請求項２】
一対の前記柱部材の少なくとも一つは、前記本体部の側面の内側面に固定されることを特徴とする、
請求項１に記載の杭。
【請求項３】
一対の前記柱部材は、前記一対の羽根板のうち、一方の羽根板の表面と他方の羽根板の側面との両方に当接する位置に設けられることを特徴とする、
請求項１又は２に記載の杭。
【請求項４】
一対の前記柱部材の最も一端側の位置、前記本体部の一端側の位置及び一対の前記羽根板の最も一端側の位置は、一対の前記柱部材の最も一端側の位置、前記本体部の一端側の位置、一対の前記羽根板の最も一端側の位置の順番で位置することを特徴とする、
請求項１から３のいずれか１項に記載の杭。
【請求項５】
前記柱部材が前記本体部に固定された際、前記柱部材の外側側面が前記本体部の外側側面よりも外側に位置することを特徴とする、
請求項１から４のいずれか１項に記載の杭。